(57)【要約】【課題】外部情報ファイルで属性情報を管理されている画像ファイルと、管理されていない画像ファイルが同一の記録媒体に混在する場合に、情報処理装置において、分類して閲覧する際に、適切に分類表示されない。【解決手段】利用者からの操作入力を受け付けた入力情報と、判定基準情報と、に基づいて、画像ファイルに画像情報とともに記録されている画像情報に関する属性情報、又は、画像ファイルとは別に記録されている画像情報に関する属性情報、のいずれによって画像ファイルの分類を行うかを決定する表示形態判定部を備えることで、多数の画像ファイルの多彩な分類表示が可能となる。【選択図】図５
2011228874.tif 000002
【特許請求の範囲】
【請求項１】
画像情報と、前記画像情報に関する属性情報を用いて画像情報を分類し表示する表示処理装置において、
前記画像情報を分類表示する際の表示形態から、判定基準情報を用いて、画像付帯情報処理部または外部情報ファイル処理部のどちらを呼び出すかを決定する表示形態判定部と、
不揮発性記録媒体を装着し、前記不揮発性記録媒体内に記録されている情報を読み出す読み出し部と、
画像ファイルに画像情報と共に記録されている前記画像情報に関する属性情報を、前記読み出し部を通じて読み出し、前記属性情報を用いて前記画像情報を表示する際の並び順を決定するための並び替えやグルーピングを行い、前記並び替えやグルーピングを行った結果を分類情報として生成する画像付帯情報処理部と、
前記画像情報とは別に、前記不揮発記録媒体に記録されている、前記画像情報に関する属性情報を保持した外部情報ファイルを、前記読み出し部を通じて読み出し、前記外部情報ファイルに保持されている属性情報を用いて前記画像情報を表示する際の並び順を決定するための並び替えやグルーピングを行い、前記並び替えやグルーピングを行った結果を分類情報として生成する外部情報ファイル処理部と、
前記分類情報を用いて画像情報を分類して表示するための表示画面の情報を生成する表示処理部と、
を備えることを特徴とする表示処理装置。
【請求項２】
利用者からの操作入力を受け付ける入力部と、
前記判定基準情報は、前記入力部によって受けつけた入力情報を用いて画像付帯情報処理部または外部情報ファイル処理部のどちらを呼び出すかを決定する判定基準情報を持つ、
ことを特徴とする請求項１に記載の表示処理装置。
【請求項３】
前記表示処理部によって生成された表示画面の情報を表示する表示部と、
を備えることを特徴とする請求項１または請求項２に記載の表示処理装置。
【請求項４】
前記外部情報ファイルは、一つのファイルで構成され、複数の画像情報に関する属性情報を保持し、
前記外部情報ファイル処理部は、前記一つの外部情報ファイルを処理することによって、分類情報を生成する、
ことを特徴とする請求項１乃至請求項３のいずれかに記載の表示処理装置。
【請求項５】
前記外部情報ファイルは、複数のファイルで構成され、前記外部情報ファイルは、複数の画像情報に関する属性情報を保持し、
前記外部情報ファイル処理部は、前記複数の外部情報ファイルを処理することによって、分類情報を生成する、
ことを特徴とする請求項１乃至請求項３のいずれかに記載の表示処理装置。
【請求項６】
前記外部情報ファイル処理部は、外部情報ファイルに保持されている生成日時の情報を用いて並び替えを実施し、分類情報を生成する、
ことを特徴とする請求項１乃至請求項５のいずれかに記載の表示処理装置。
【請求項７】
前記外部情報ファイル処理部は、外部情報ファイルに保持されているアドレス情報を用いて並び替えを実施し、分類情報を生成する、
ことを特徴とする請求項１乃至請求項５のいずれかに記載の表示処理装置。
【請求項８】
前記外部情報ファイル処理部は、外部情報ファイルに保持されている生成日時の情報およびアドレス情報を用いて並び替えを実施し、分類情報を生成する、
ことを特徴とする請求項１乃至請求項５のいずれかに記載の表示処理装置。
【発明の詳細な説明】
【技術分野】
【０００１】
本発明は、コンテンツを表示する表示処理装置に関し、特に、静止画や動画等のコンテンツを表示する表示処理装置に関する。
【背景技術】
【０００２】
近年、デジタルスチルカメラやデジタルムービーを用いて撮影を行い、撮影した画像データをハードディスクドライブやＳＤメモリーカードなどの不揮発性記録媒体内に保存することが一般的に行われるようになってきた。また、撮影した画像データをコンピューターや家庭用テレビゲーム機、ハードディスクレコーダーなどに搭載されたハードディスクドライブへの保存や、これらの機器を用いて、ＤＶＤやＣＤ、ＢＤなどの光ディスクメディアに保存を行い、これらの機器を用いて画像データの閲覧が行われている。これらで用いられる記録媒体の大容量化に伴い、蓄積されているコンテンツ数が膨大になってきており、膨大なコンテンツの中から簡単に目的のコンテンツを閲覧し利用するために、画像管理や画像閲覧に関する様々な技術が考案されている。
【０００３】
例えば、ＥＸＩＦ規格（Ｅｘｃｈａｎｇｅａｂｌｅ  Ｉｍａｇｅ  Ｆｉｌｅ  Ｆｏｒｍａｔ）で定められたフォーマットで画像と共に記録された属性情報を用いて、画像を分類して表示する技術が特許文献１で開示されている。また、画像を処理することなどによって生成した属性情報を画像とは別のメタデータファイルとして記録しておき、このメタデータファイルを用いて画像を分類して表示する技術が特許文献２に開示されている。また、画像ファイルの属性情報を管理するためのコンテンツ管理情報によって属性情報が管理されている画像ファイルと、コンテンツ管理情報によって属性情報が管理されていない画像ファイルと、が同一の記録媒体内に混在する状態で画像を分類表示する際に、コンテンツ管理情報によって属性情報が管理されていない画像ファイルも分類表示する技術、が特許文献３に開示されている。
【先行技術文献】
【特許文献】
【０００４】
【特許文献１】特開２００４−１１０５９９号公報
【特許文献２】特開２００７−１２９４３４号公報
【特許文献３】特開２００８−１６５２７４号公報
【発明の概要】
【発明が解決しようとする課題】
【０００５】
撮像装置においてＥＸＩＦ形式で属性情報を持った画像ファイルが記録される一方、一部の撮像装置、コンピューター、家庭用ゲーム機やハードディスクレコーダーなどの画像管理装置などでは、画像ファイルを処理することや利用者からの入力などによって、このＥＸＩＦ形式で記録された属性情報とは別の属性情報を記録する。この、別途記録される属性情報を用いることで、例えば、画像ファイルに対して人物検出・認識処理を行い、その結果を属性情報に記録していると、画像を閲覧する際に、人物別に分類して閲覧することができるなど、多彩な分類表示を行うことが可能になる。また、この別途記録する属性情報を、複数の画像ファイルの属性情報を一つのメタデータファイルとしてまとめて管理することによって、分類表示を行う際に、各画像ファイルから属性情報を読み出すことなく、メタデータファイルを処理するだけで、表示すべき画像を決定することが可能になり、高速な表示が可能になる。
【０００６】
しかし、複数の機器が一つの記録媒体に画像ファイルを記録する場合や、画像ファイルの処理を行って、メタデータファイルを作成・更新するタイミングによって、メタデータファイルで属性情報が管理されている画像ファイルと、属性情報が管理されていない画像ファイルが同一の記録媒体に混在することが考えられる。このようなメタデータファイルで属性情報が管理されている画像ファイルと、属性情報が管理されていない画像ファイルが同一の記録媒体に混在する状態で、画像ファイルを分類して閲覧する場合に、特許文献１の方法では、メタデータファイルに記録されている属性情報を用いた多彩な分類表示を行えない。また、特許文献２の方法では、メタデータファイルに属性情報が管理されていない画像ファイルは表示されないことになり、利用者に対して、本来記録媒体に記録されている画像ファイルが記録されていないと誤認させる事になる。また、特許文献３の方法では、メタデータファイルを用いた分類表示も行え、メタデータファイルに属性情報が管理されていない画像ファイルについては、「未分類画像」という分類項目で表示される。しかし、メタデータファイルに属性情報が管理されていない画像ファイルについては、「未分類画像」にまとめて表示されるため、本来、分類されて表示されるべき画像ファイルが「未分類画像」以上の分類が行われず、画像の閲覧性が低下する。
【０００７】
本発明は、以上の点を考慮してなされたもので、ユーザの画像閲覧時の使い勝手を向上させるコンテンツ表示装置、コンテンツ管理装置、およびこれらにおけるコンテンツ表示方法、ならびに当該方法を表示処理装置に実行させるプログラムを提案するものである。
【課題を解決するための手段】
【０００８】
本出願の表示処理装置は、画像情報と、画像情報に関する属性情報を用いて画像情報を分類し表示する表示処理装置において、画像情報を分類表示する際の表示形態から、判定基準情報を用いて、画像付帯情報処理部または外部情報ファイル処理部のどちらを呼び出すかを決定する表示形態判定部と、不揮発性記録媒体を装着し、不揮発性記録媒体内に記録されている情報を読み出す読み出し部と、画像ファイルに画像情報と共に記録されている画像情報に関する属性情報を、読み出し部を通じて読み出し、属性情報を用いて画像情報を表示する際の並び順を決定するための並び替えやグルーピングを行い、並び替えやグルーピングを行った結果を分類情報として生成する画像付帯情報処理部と、画像情報とは別に、不揮発記録媒体に記録されている、画像情報に関する属性情報を保持した外部情報ファイルを、読み出し部を通じて読み出し、外部情報ファイルに保持されている属性情報を用いて画像情報を表示する際の並び順を決定するための並び替えやグルーピングを行い、並び替えやグルーピングを行った結果を分類情報として生成する外部情報ファイル処理部と、分類情報を用いて画像情報を分類して表示するための表示画面の情報を生成する表示処理部とを有する。
【０００９】
また、上記表示処理装置において、利用者からの操作入力を受け付ける入力部と、判定基準情報は、入力部によって受けつけた入力情報を用いて画像付帯情報処理部または外部情報ファイル処理部のどちらを呼び出すかを決定する判定基準情報と、を持つものである。
【００１０】
また、上記表示処理装置において、表示処理部によって生成された表示画面の情報を表示する表示部を備える物であってもよい。
【００１１】
また、上記の外部情報ファイルは、一つのファイルで構成され、外部情報ファイルは、複数の画像情報に関する属性情報を保持し、外部情報ファイル処理部は、一つの外部情報ファイルを処理することによって、分類情報を生成するものであってもよい。
【００１２】
また、上記の外部情報ファイルは、複数のファイルで構成され、外部情報ファイルは、複数の画像情報に関する属性情報を保持し、外部情報ファイル処理部は、複数の外部情報ファイルを処理することによって、分類情報を生成するものであってもよい。
【００１３】
また、上記の外部情報ファイル処理部は、外部情報ファイルに保持されている生成日時の情報を用いて並び替えを実施し、分類情報を生成するものであってもよい。
【００１４】
また、上記の外部情報ファイル処理部は、外部情報ファイルに保持されているアドレス情報を用いて並び替えを実施し、分類情報を生成するものであってもよい。
【００１５】
また、上記の外部情報ファイル処理部は、外部情報ファイルに保持されている生成日時の情報およびアドレス情報を用いて並び替えを実施し、分類情報を生成するものであってもよい。
【発明の効果】
【００１６】
本発明を適用した表示処理装置を利用することによって、メタデータファイルを用いた多彩な分類表示を行え、さらにメタデータファイルによって管理されていない画像ファイルについても、分類表示が可能になり、多数の画像ファイルを効率的に閲覧可能になる。
【図面の簡単な説明】
【００１７】
【図１】本発明の実施の形態における構成の一例を示すブロック図
【図２】本発明の実施の形態における構成の一例を示すブロック図
【図３】本発明の実施の形態における画像ファイルの構成の一例を示す図
【図４】本発明の実施の形態における外部情報管理テーブルの一例を示す図
【図５】本発明の実施の形態における表示処理装置の構成の一例を示すブロック図
【図６】本発明の実施の形態における判定基準情報の一例を示す図
【図７】本発明の実施の形態における分類情報の一例を示す図
【図８】本発明の実施の形態における表示処理装置の動作の一例を示すフローチャート
【図９】本発明の実施の形態における不揮発性記録媒体の保持する情報の一例を示す図
【図１０】本発明の実施の形態における表示画面の一例を示す図
【発明を実施するための形態】
【００１８】
（実施の形態１）
１．システムの構成
図１は本発明の実施の形態１による表示処理装置１００１と、表示処理装置１００１で処理され、表示される画像情報や属性情報を記録した、不揮発性記録媒体１００２を示している。不揮発性記録媒体１００２を表示処理装置１００１に装着し、表示処理装置１００１は不揮発性記録媒体１００２に記録されている情報を読み出し、処理することによって、不揮発性記録媒体１００２に記録されている画像情報や属性情報等を表示する。
【００１９】
ここで、表示処理装置１００１は、テレビ、パソコン、携帯電話、ポータブル情報端末などが想定され、不揮発性記録媒体読み取り装置を備え、不揮発性記録媒体１００２から読み出した情報を処理し、その結果を表示する表示部を備える。尚、本実施の形態では、表示処理装置１００１は表示部を備える構成で説明を行うが、表示処理装置１００１としては、表示部備える物に限定する物ではなく、表示処理装置１００１として、表示処理装置１００１自身が表示部を備えず、テレビやモニターなどの表示装置に処理結果の表示イメージを送出する機能を備える形態も想定する。
【００２０】
また、不揮発性記録媒体１００２はＳＤメモリーカードやＵＳＢメモリーなどの半導体メモリーや、ハードディスクドライブなどの磁気ドライブ、ＣＤやＤＶＤ等の光ディスクなどが考えられる。
【００２１】
２．不揮発性記録媒体
図２は不揮発性記録媒体１００２に記録されている情報の一例を示した図である。図２を用いて、不揮発性記録媒体１００２に記録されている情報について説明する。不揮発性記録媒体１００２には、画像ファイル２００１と、外部情報ファイル２００２が記録されている。画像ファイル２００１はＥＸＩＦ規格（Ｅｘｃｈａｎｇｅａｂｌｅ  Ｉｍａｇｅ  Ｆｉｌｅ  Ｆｏｒｍａｔ）で定められたフォーマットで記録されたものであり、不揮発性記録媒体に１つ以上記録されている。また、外部情報ファイル２００２も１つ以上記録されている。尚、本実施の形態では、複数の画像ファイルに２００１に対して、一つの外部情報ファイル２００２を不揮発性記録媒体１００２に記録している構成で説明を行うが、この構成に限定される物ではなく、外部情報ファイル２００２は一つの画像ファイル２００１に対して一つ記録してもよいし、一定数の画像ファイル２００１毎に一つの外部情報ファイル２００２を記録してもよい。
【００２２】
画像ファイル２００１の一例として、図３に画像ファイル３００１を示す。画像ファイル３００１は、画像ファイル３００１の開始を示すＳＯＩ３００２、属性情報が記録されているＡＰＰ１  ３００３、ＪＰＥＧ圧縮データで記録されている主画像３００４と画像ファイル３００１の終了を示すＥＯＩ３００５から構成される。これは、ＥＸＩＦ規格形式のフォーマットを簡略化して表現したものである。ここで、ＡＰＰ１  ３００３に記録されている属性情報を画像付帯情報、主画像３００４に記録されている情報を画像情報と呼ぶ。
【００２３】
画像付帯情報としては、メーカー名やモデル名、画像ファイルの生成日時などが記録されている。なお、画像付帯情報としては、これらの情報に限定されるものではない。また、画像情報はＪＰＥＧ圧縮データに限定される物ではなく、他のデータ形式の画像でもよい。また、画像ファイルはＥＸＩＦ規格で定められたフォーマットで記録することに限定するものではなく、画像情報と画像情報の属性情報を一つのファイルとして記録するフォーマットであればよい。
【００２４】
外部情報ファイル２００２に管理されている情報の一例として、図４に外部情報管理テーブル４００１を示す。外部情報管理テーブル４００１は、画像ファイル２００１とは別に、画像ファイル２００１の属性情報を記録したものである。外部情報管理テーブル４００１の各行に、対応する画像ファイル２００１の属性情報が管理されている。外部情報管理テーブル４００１の、列４０２１には属性情報のＩＤ、列４０２２には対応する画像ファイルの生成日時、列４０２３には対応する画像ファイルに写っている人物の名前、列４０２４には対応する画像ファイルを特定するための情報が記録されている。具体的には、外部情報管理テーブル４００１には３つの画像ファイルに関する属性情報が管理されており、例えば、行４０１１の列４０２１には属性情報のＩＤとして「１」が、列４０２２には画像ファイルの生成日時として「２００７／０３／２５」が、列４０２３には画像情報に写っている人物の名前として「まゆみ」が、列４０２４には画像ファイルを特定する情報として「Ｐ１０００００２．ＪＰＧ」が記録されている。これ以降、画像ファイルを特定する情報をアドレス情報と呼ぶ。なお、行４０１２の列４０２３のように、該当する情報が存在しない場合には、情報が記録されていない項目も存在する。また、外部情報管理テーブル４００１には不揮発性記録媒体１００２に記録されているすべての画像ファイル２００１の属性情報が管理されているわけではなく、画像ファイル２００１によっては、外部情報管理テーブル４００１に属性情報が管理されていないものも存在する。
【００２５】
なお、外部情報管理テーブル４００１において管理する情報は、上述した情報に限定されず、位置情報や、画像ファイルを生成した時の設定情報（写真撮影によって画像ファイルを生成した場合はその撮影時のシャッタースピードや露出、焦点距離などの様々な情報など）や、利用者が入力した文字列や、画像ファイルをアルバム分類表示するための分類を行った分類結果を示す情報など、様々な情報を記録することができる。なお、外部情報管理テーブル４００１の内容は、外部情報ファイル２００２において、ＣＶＳ（Ｃｏｍｍａ  Ｓｅｐａｒａｔｅｄ  Ｖａｌｕｅｓ）形式やＸＭＬ（Ｅｘｔｅｎｓｉｂｌｅ  Ｍａｒｋｕｐ  Ｌａｎｇｕａｇｅ）形式などで記録されている。なお、外部情報ファイル２００２の形式はＣＶＳ形式やＸＭＬ形式に限定するものではなく、外部情報管理テーブル４００１の内容を表現できる形式であればどのような形式でもよい。
【００２６】
画像ファイル２００１および外部情報ファイル２００２は、デジタルスチルカメラやムービー、撮像機能を有した携帯電話などの撮像装置や、パーソナルコンピューターなどの画像情報を取り扱うことが可能な表示処理装置によって記録される。なお、撮像装置や表示処理装置などの装置の種類によって、画像ファイル２００１のみを不揮発性記録媒体１００２に記録するものや、画像ファイル２００１と外部情報ファイル２００２を不揮発性記録媒体１００２に記録するもの、不揮発性記録媒体１００２に記録済の画像ファイル２００１に対応する外部情報ファイル２００２のみを記録するもの等が考えられる。
【００２７】
３．表示処理装置
表示処理装置１００１は図５に示すように、入力部５００１、表示形態判定部５００２、読み出し部５００３、画像付帯情報処理部５００４、外部情報ファイル処理部５００５、表示処理部５００６、表示部５００７から構成される。
【００２８】
入力部５００１は利用者からの入力を受け付ける。具体的には、キーボード、タッチパネル、赤外線リモコンや無線リモコンなど、表示処理装置１００１に利用者の操作を伝える様々な装置が考えられる。入力部５００１は利用者から受け付けた入力情報を表示形態判定部５００２へ通知する。
【００２９】
表示形態判定部５００２は入力部からの情報と、予め保持している判定基準情報を元に表示形態を判定し、判定結果に基づいて画像付帯情報処理部５００４または外部情報ファイル処理部５００５を呼び出す。図６に判定基準情報の一例として判定基準情報６０００を示す。判定基準情報６０００は、列６００１には画像付帯情報処理部５００４にて処理すべき情報と判定する基準を管理し、列６００２には外部情報ファイル処理部５００５にて処理すべき情報と判定する基準を管理している。行６００３は画像付帯情報処理部５００４の判定基準を管理している列か、外部情報ファイル処理部５００５の判定基準を管理している列かを示す情報を保持しており、行６００４は実際の判定基準を管理している。判定基準情報６０００は画像付帯情報処理部５００４、外部情報ファイル処理部５００５それぞれに対する判定基準が一つずつしか存在しないため、行６００４までしか存在しないが、判定基準が複数存在する場合は、行６００４の下に複数の行が存在し、そこで判定基準が管理される。判定基準情報６０００は列６００１行６００４に「日付別表示」と判定基準が管理されているため、入力部５００１より、日付別表示を行いたいとの情報が通知された場合には、列６００１の行６００３に記載されている画像付帯情報処理部５００４を呼び出せばよいと判定することができる。同様に列６００２行６００４に「人物別表示」と判定基準が管理されているため、入力部５００１より、人物別表示を行いたいとの情報が通知された場合には、列６００２の行６００３に記載されている外部情報ファイル処理部５００５を呼び出せばよいと判定することができる。
【００３０】
読み出し部５００３は不揮発性記録媒体１００２を装着し、不揮発性記録媒体１００２に記録されている情報を読み出す。
【００３１】
画像付帯情報処理部５００４は読み出し部５００３を通じて不揮発性記録媒体１００２に記録されている１つ以上の画像ファイル２００１から、画像付帯情報を読み出し、画像付帯情報の処理を行うことによって、画像ファイル２００１に対するグルーピングの処理や、表示する際の並び順を決定する並び替えの処理を実施する。具体的には、画像ファイル２００１を、読み出し部５００３を通じて読み出し、画像ファイル２００１にＥＸＩＦ形式で記録されている属性情報（画像付帯情報）の中からメーカー名やモデル名、画像情報の生成日時などを取得する。これらの取得した情報を用いて、情報の並び替えやグルーピングを行い、その結果を分類情報として表示処理部５００６へ通知する。分類情報の一例として図７の（ａ）に分類情報７０００を示す。分類情報７０００は列方向に日付ごとに分類された情報を持つ。分類情報７０００では、列７００１に「２００７／０３／２５」の情報を、列７００２に「２００７／０４／０１」の情報を分類している。また、アドレス情報の順に並べてある。分類する項目が増えた場合には、列方向に情報が追加される。また、行７００３は各列が何を分類したものかを示す情報が記録されている。行７００４および行７００５にはグルーピングや並び替えを行った結果として、同一の列に同じグループの情報が、並び替えられた順序に従って、画像ファイルのアドレス情報が記録されている。分類情報７０００では行７００４および行７００５の２行しか存在しないが、各列に分類される情報が増えた場合には、行が追加され、記録される。以上より、分類情報７０００の列７００１は行７００３の情報より「２００７／０３／２５」に分類された情報が記録されていることがわかり、行７００４に記録されている「Ｐ１０００００１．ＪＰＧ」、および行７００５に記録されている「Ｐ１０００００２．ＪＰＧ」より「２００７／０３／２５」に分類された画像ファイルとその表示する際の順序を特定することができる。
【００３２】
なお、分類情報として分類情報７０００に示した形式に限定されず、情報の並び替えやグルーピングを行った結果を表示処理部５００６に通知できるものであればよい。
【００３３】
外部情報ファイル処理部５００５は読み出し部５００３を通じて不揮発性記録媒体１００２に記録されている外部情報ファイル２００２を読み出し、外部情報ファイル２００２の処理を行う。具体的には、読み出し部５００３を通じて外部情報ファイル２００２を読み出し、外部情報ファイル２００２に記録されている外部情報管理テーブル４００１より、画像ファイルの属性情報である、画像情報に写っている人物の名前などの情報を取得する。これらの取得した情報を用いて、情報の並び替えやグルーピングを行い、その結果を分類情報として表示処理部５００６へ通知する。分類情報の一例として図７の（ｂ）に分類情報７０１０を示す。分類情報７０１０は列方向に人物の名前ごとに分類された情報を持つ。分類情報７０１０では、列７０１１に「まゆみ」の情報を、列７０１２に「みか」の情報を分類している。分類する項目が増えた場合には、列方向に情報が追加される。また、行７０１３は各列が何を分類したものかを示す情報が記録されている。行７０１４にはグルーピングや並び替えを行った結果として、同一の列に同じグループの情報が、並び替えられた順序に従って、画像ファイル２００１のアドレス情報が記録されている。並べ替えには、生成日時やアドレス情報を用いて、生成日時順、アドレス情報の文字列順などに並び替えられる。分類情報７０１０では行７０１４の１行しか存在しないが、各列に分類される情報が増えた場合には、行が追加され、記録される。以上より、分類情報７０１０の列７０１１は行７０１３の情報より「まゆみ」に分類された情報が記録されていることがわかり、行７０１４に記録されている「Ｐ１０００００２．ＪＰＧ」より「まゆみ」に分類された画像ファイルとその表示する際の順序を特定することができる。画像ファイルの属性情報の並び替えを行う際には、外部情報管理テーブル４００１の列４０２２に記録されている、画像情報２００１の生成日時を用いて、生成日時順に並べるなどが考えられる。また、外部情報管理テーブル４００１の列４０２４に記録されているアドレス情報を用いて、アドレス情報の順序で並べることも考えられる。
【００３４】
なお、分類情報として分類情報７０１０に示した形式に限定されず、情報の並び替えやグルーピングを行った結果を表示処理部５００６に通知できるものであればよい。
【００３５】
表示処理部５００６は画像付帯情報処理部５００４または外部情報ファイル処理部５００５から取得した画像ファイルの並び順や、グルーピングされた情報である、分類情報をもとに、表示する画面イメージを生成し、表示部５００７で表示する。
【００３６】
表示部５００７は表示処理装置１００１の処理結果の表示を行う。具体的には、液晶ディスプレイモジュールやプラズマディスプレイモジュールなどのディスプレイモジュールで構成される事が考えられる。
【００３７】
図８に示したフローチャート８０００を用いて、表示処理装置１００１の処理の一例を説明する。
【００３８】
不揮発性記録媒体１００２を読み出し部５００３に接続する（Ｓ８００１）。
【００３９】
表示部５００７に選択画面を表示し、利用者からの入力を待つ（Ｓ８００２）。
【００４０】
利用者からの入力を入力部５００１で受け取り、受け取った入力情報をＳ８００４へ通知する（Ｓ８００３）。
【００４１】
Ｓ８００３から受け取った情報が処理を終了させる情報であった場合は、Ｓ８０１０へ進み、処理を終了させる情報でない場合には、Ｓ８００３より受け取った情報を表示形態判定部５００２へ通知する（Ｓ８００４）
【００４２】
表示形態判定部５００２では、入力部５００１から受信した利用者からの入力情報と、あらかじめ表示形態判定部５００２に保持している判定基準情報を元に、判定を行う。判定の結果、画像付帯情報処理部５００４で処理を行うと判定された場合、Ｓ８００７へ進み、外部情報ファイル処理部５００５で処理を行うと判定された場合、Ｓ８００６へ進む（Ｓ８００５）。
【００４３】
外部情報ファイル処理部５００５では、読み出し部５００３を通じて不揮発性記録媒体１００２に記録されている外部情報ファイル２００２を読み出し、グルーピングや並び替えの処理を行い、その処理結果を分類情報として作成し、表示処理部５００６に通知する（Ｓ８００６）。
【００４４】
画像付帯情報処理部５００４では、読み出し部５００３を通じて不揮発性記録媒体１００２に記録されている画像ファイル２００１より画像付帯情報を読み出し、グルーピングや並び替えの処理を行い、その処理結果を分類情報として作成し、表示処理部５００６に通知する（Ｓ８００７）。
【００４５】
表示処理部５００６では、画像付帯情報処理部５００４または外部情報ファイル処理部５００５より受信した分類情報を用いて、表示画面を生成し、表示部５００７に表示する（Ｓ８００８）。
【００４６】
表示部５００７では、表示処理部５００６より受け取った情報を表示し、利用者からの入力を待つ（Ｓ８００９）。その後、Ｓ８００３において利用者からの入力を受け付ける。
【００４７】
Ｓ８００４において、処理を終了する情報であると判定された場合、処理を終了する（Ｓ８０１０）。
【００４８】
これ以降、具体例を用いて、表示処理装置１００１の動作の一例を説明する。図９に示すように不揮発性記録媒体９０００に４つの画像ファイル９００１、９００２、９００３、９００４と、外部情報ファイル９０１０が記録されている。また、画像ファイル９００１はアドレス情報として「Ｐ１０００００１．ＪＰＧ」で特定でき、画像付帯情報として「２００７／０３／２５」を保持しているとする。同様に、画像ファイル９００２はアドレス情報として「Ｐ１０００００２．ＪＰＧ」で特定でき、画像付帯情報として「２００７／０３／２５」を保持し、画像ファイル９００３はアドレス情報として「Ｐ１０００００３．ＪＰＧ」で特定でき、画像付帯情報として「２００７／０４／０１」を保持し、画像ファイル９００４はアドレス情報として「Ｐ１０００００４．ＪＰＧ」で特定でき、画像付帯情報として「２００７／０４／０１」を保持するとする。また、外部情報ファイル９０１０は図４に示す外部情報管理テーブル４００１を保持しているとする。また、表示形態判定部５００２は判定基準情報として図６に示す判定基準情報６０００を保持しているとする。
【００４９】
以上の情報を保持する不揮発性記録媒体９０００を読み出し部５００３に接続する（Ｓ８００１）。
【００５０】
表示部５００７に図１０（ａ）に示す選択画面１００１０を表示し、利用者からの入力を待つ（Ｓ８００２）。
【００５１】
ここで、利用者から入力部５００１を通して、「日付別表示」が選択された場合の説明を行う。「日付別表示」が選択されており、終了を示す入力ではないため、Ｓ８００５へ進む（Ｓ８００４）。
【００５２】
表示形態判定部５００２において、「日付別表示」は判定基準情報６０００の列６００１の行６００４に記録されている。列６００１は画像付帯情報処理部５００４に処理を依頼すればいいことが行６００３の情報より特定できる。従って、判定結果として、表示形態判定部５００２は画像付帯情報処理部５００４を呼び出す（Ｓ８００５）。
【００５３】
画像付帯情報処理部５００４は不揮発性記録媒体９０００に記録されている画像情報９００１、画像情報９００２、画像情報９００３、画像情報９００４より画像付帯情報として、それぞれの画像情報から「２００７／０３／２５」「２００７／０３／２５」「２００７／０４／０１」「２００７／０４／０１」を読み出し部５００３を通じて読み出す。読み出した画像付帯情報を元に、グルーピングと並べ替えを実施し、それぞれのアドレス情報とグルーピングおよび並べ替えを実施した情報を元に、図７（ａ）に示す分類情報７０００を生成し、表示処理部５００６へ通知する（Ｓ８００７）。
【００５４】
表示処理部５００６では画像付帯情報処理部５００４より受信した分類情報７０００を用いて表示画面を生成し表示部５００７通知する（Ｓ８００８）
【００５５】
表示部５００７において、表示処理部５００６より受信した表示画面を表示する（Ｓ８００９）。表示される画面の一例を図１０（ｂ）の分類画面１００２０に示す。分類画面１００２０では日付ごとに画像を分類して表示を行い、利用者が容易に目的の画像を日付の情報を元にして見つけることが可能になる。「２００７／０３／２５」の画像として、アドレス情報Ｐ１０００００１．ＪＰＧおよびＰ１０００００２．ＪＰＧの画像が表示されており、「２００７／０４／０１」の画像としてＰ１０００００３．ＪＰＧおよびＰ１０００００４．ＪＰＧの画像が表示されている。また、他の表示形態である「人物別表示」に切り替えるための操作ボタンも表示している。
【００５６】
次に、分類画面１００２０において、利用者から入力部５００１を通して、「人物別表示」が選択された場合、または、Ｓ８００２において、選択画面１００１０を表示している状態で、利用者から入力部５００１を通して、「人物別表示」が選択された場合の説明を行う。
【００５７】
「人物別表示」が選択されており、終了を示す入力ではないため、Ｓ８００５へ進む（Ｓ８００４）。
【００５８】
表示形態判定部５００２において、「人物別表示」は判定基準情報６０００の列６００２の行６００４に記録されている。列６００２は外部情報ファイル処理部５００５に処理を依頼すればいいことが行６００３の情報より特定できる。従って、判定結果として、表示形態判定部５００２は外部情報ファイル処理部５００５を呼び出す（Ｓ８００５）。
【００５９】
外部情報ファイル処理部５００５は不揮発性記録媒体９０００に記録されている外部情報ファイル９０１０を読み出し部５００３を通じて読み出す。読み出した外部情報ファイル９０１０に管理されている外部情報管理テーブル４００１の列４０２３の情報より、人物の名前でグルーピングを行い、列４０２４に記録されているアドレス情報とともに、図７（ｂ）に示す分類情報７０１０を生成し、表示処理部５００６へ通知する（Ｓ８００６）。
【００６０】
表示処理部５００６では外部情報ファイル処理部５００５より受信した分類情報７０１０を用いて表示画面を生成し表示部５００７通知する（Ｓ８００８）
【００６１】
表示部５００７において、表示処理部５００６より受信した表示画面を表示する（Ｓ８００９）。表示される画面の一例を図１０（ｃ）の分類画面１００３０に示す。分類画面１００３０では人物の名前ごとに画像を分類して表示を行い、利用者が容易に目的の画像を人物の名前情報を元にして見つけることが可能になる。「まゆみ」の画像としてアドレス情報Ｐ１０００００２．ＪＰＧの画像が表示されており、「みか」の画像としてアドレス情報Ｐ１０００００４．ＪＰＧの画像が表示されている。また、他の表示形態である「日付別表示」に切り替えるための操作ボタンも表示している。
【００６２】
次に、分類画面１００３０において、利用者から入力部５００１を通して、「日付別表示」が選択された場合の処理は、すでに説明した、選択画面１００１０において「日付別表示」が選択された場合と同様の処理を行い、分類画面１００２０を表示する。
【００６３】
また、Ｓ８００３において、処理の終了を示す情報が入力部５００１から入力された場合、Ｓ８０１０へ進み、処理を終了させる。
【００６４】
なお、本実施の形態では入力部５００１を用いて利用者が入力した結果に対応して表示形態判定部５００２は判定を行ったが、この方法に限定されず、予め起動時は一方に判定するように固定しておき、その後、分類画面を表示している状態で利用者から入力部５００１を通じて入力があった場合に、表示形態判定部５００２において、再度判定を実施し、他の表示に切り替えることも考えられる。
以上で説明した表示処理装置１００１を用い、表示形態判定部５００２によって、利用者の求める分類表示の形態を判定し、処理すべき情報を一意に特定することによって、外部情報ファイルによって管理されている画像ファイルと、管理されていない画像ファイルが同一の不揮発性記録媒体１００２に記録されている場合に、外部情報ファイルを用いた人物分類などの多彩な分類表示を行える一方、外部情報ファイルによって管理されていない画像ファイルに対しても、日付別表示といった分類表示が可能となる。
【００６５】
また、外部情報ファイルが一つのファイルで構成され、複数の画像情報に関連する属性情報を管理している場合、各画像ファイルを読み出すことなく、分類表示が可能になり、高速な分類表示を行える。
【００６６】
また、外部情報ファイルを複数のファイルで構成し、さらに各外部情報ファイルに複数の画像情報に関連する属性情報を管理している場合、各画像ファイルを読み出すことなく、分類表示が可能になり、高速な分類表示を行える一方、外部情報ファイルのファイルサイズが膨大になり、結果として、表示が遅くなるということを防ぐことができる。
【産業上の利用可能性】
【００６７】
本発明は、画像表示装置、画像表示方法、画像表示方法のプログラムに関し、デジタルスチルカメラ、デジタルムービー、デジタルテレビ、ハードディスクレコーダーだけでなく、動画や静止画を表示するための処理を行う機能を有する装置に適用可能である。
【符号の説明】
【００６８】
１００１  表示処理装置
１００２、９０００  不揮発性記憶媒体
２００１、３００１、９００１、９００２、９００３、９００４  画像ファイル
２００２、９０１０  外部情報ファイル
３００２  ＳＯＩ
３００３  ＡＰＰ１
３００４  主画像
３００５  ＥＯＩ
５００１  入力部
５００２  表示形態判定部
５００３  読み出し部
５００４  画像付帯情報処理部
５００５  外部情報ファイル処理部
５００６  表示処理部
５００７  表示部
１００１０  選択画面
１００２０、１００３０  分類画面
【図１】
2011228874.tif 000003
【図２】
2011228874.tif 000004
【図３】
2011228874.tif 000005
【図４】
2011228874.tif 000006
【図５】
2011228874.tif 000007
【図６】
2011228874.tif 000008
【図７】
2011228874.tif 000009
【図８】
2011228874.tif 000010
【図９】
2011228874.tif 000011
【図１０】
2011228874.tif 000012